(57)【要約】【課題】底面に凹凸がなく、底抜けに対する強度を十分に有し、かつ、単純形状のブランクで簡単に組み立て可能な紙箱を提供することである。【解決手段】いずれも単純形状の帯状の板紙ブランクを折り曲げて形成される胴枠部材１と２つの底板部材２、３との３ピースで紙箱を構成し、各底板部材２、３を底板部２ａ、３ａの両側に一対の立壁部２ｂ、３ｂを形成したものとして、各底板部材２、３の底板部２ａ、３ａを上下に重ねて胴枠部材１の底面開口へ嵌め込み、それぞれの一対の立壁部２ｂ、３ｂを、胴枠部材１の直交する別々の対の側壁部１ｂ、１ａ内面に重ね合わせることにより、底面に凹凸をなくして、互いに重ね合わされる各側壁部１ｂ、１ａと各立壁部２ｂ、３ｂとの摩擦抵抗で底抜けに対する強度を確保し、かつ、組み立ても簡単に行えるものとした。【選択図】　図１
2004075089.tif 000002
【特許請求の範囲】
【請求項１】
帯状の板紙ブランクから４面の側壁部を折り曲げで形成して矩形枠とした胴枠部材と、それぞれ帯状の板紙ブランクから、底板部の両側に一対の立壁部を折り曲げで形成した２つの底板部材とから成り、前記各底板部材の底板部を上下に重ねて前記胴枠部材の底面開口へ嵌め込み、それぞれの前記一対の立壁部を、前記胴枠部材の直交する別々の対の側壁部内面に重ね合わせるようにした紙箱。
【請求項２】
前記各底板部材の一対の立壁部の先端に、それぞれが重ね合わされる前記胴枠部材の側壁部の上端から外側に折り返される折り返し部を設けた請求項１に記載の紙箱。
【請求項３】
前記各底板部材の一対の立壁部の先端に、それぞれが重ね合わされる前記胴枠部材の側壁部の上端で内折りされる天面フラップを設けた請求項１に記載の紙箱。
【請求項４】
前記胴枠部材の対向する一対の側壁部に、上下に延びる折り目線を、前記胴枠部材の枠中心に関して点対称に設けた請求項１乃至３のいずれかに記載の紙箱。
【請求項５】
前記紙箱の対向する一対の側壁間に差し渡される板紙製の仕切り板部材を設け、この仕切り板部材を、上端で２つ折りにして重ね合わされる各仕切り板部の両側端に、前記一対の対向する側壁の内面に沿わされる折り曲げ片を形成したものとし、これらの各折り曲げ片の先端を、それぞれが沿わされる側壁の終端コーナ部に突き当てるようにした請求項１乃至４のいずれかに記載の紙箱。
【請求項６】
前記少なくとも１つの側壁部と、その内面に重ね合わされる前記立壁部とに貫通孔を設け、この貫通孔に通されて、前記重ね合わされた側壁部と立壁部とを内外から挟持する把手部材を取り付けた請求項１乃至５のいずれかに記載の紙箱。
【発明の詳細な説明】
【０００１】
【発明の属する技術分野】
この発明は、段ボール紙や厚紙等の板紙を用いた紙箱に関するものである。
【０００２】
【従来の技術および発明が解決しようとする課題】
板紙を用いた紙箱は、荷造り用、収納ケース用、陳列ケース用等に幅広く使用されている。荷造り用や収納ケース用等の比較的大寸法の紙箱には段ボール紙が多く用いられ、陳列ケース用等の小寸法の紙箱には厚紙が多く用いられる。
【０００３】
これらの紙箱の形式は様々なものがあるが、側壁を形成する胴枠部に、底面を形成する底面フラップや天面を形成する天面フラップを一体に設けたワンピース形式のものが最も多い。ワンピース形式の紙箱は、組立の際の接着部が少ない利点を有するが、底面フラップ同士の差し込みや重ね合わせで形成される底面に凹凸が生じる難点がある。また、底抜けに対する強度を十分に確保するためには、重ね合わせ式の底面フラップは勿論、差し込み式のものでも補強テープの貼り付けを必要とする難点がある。さらに、ワンピース形式の紙箱はブランク形状が複雑になるので、ブランク採りの効率が悪くなる問題もある。底面フラップが差し込み式のものは、ブランク形状がさらに複雑なものとなる。
【０００４】
一方、従来の複数ピース形式の紙箱は、ピース同士の結合のために多くの接着部を必要とし、その接着面積も広くなるので、組み立てに手間がかかる問題がある。
【０００５】
そこで、この発明の課題は、底面に凹凸がなく、底抜けに対する強度を十分に有し、かつ、単純形状のブランクで簡単に組み立て可能な紙箱を提供することである。
【０００６】
【課題を解決するための手段】
上記の課題を解決するために、この発明の紙箱は、帯状の板紙ブランクから４面の側壁部を折り曲げで形成して矩形枠とした胴枠部材と、それぞれ帯状の板紙ブランクから、底板部の両側に一対の立壁部を折り曲げで形成した２つの底板部材とから成り、前記各底板部材の底板部を上下に重ねて前記胴枠部材の底面開口へ嵌め込み、それぞれの前記一対の立壁部を、前記胴枠部材の直交する別々の対の側壁部内面に重ね合わせる構成を採用したものである。
【０００７】
すなわち、紙箱を、いずれも単純形状の帯状の板紙ブランクを折り曲げて形成される胴枠部材と２つの底板部材との３ピースで構成し、各底板部材を底板部の両側に一対の立壁部を形成したものとして、各底板部材の底板部を上下に重ねて胴枠部材の底面開口へ嵌め込み、それぞれの一対の立壁部を、胴枠部材の直交する別々の対の側壁部内面に重ね合わせることにより、底面に凹凸をなくし、かつ、互いに重ね合わされる胴枠部材の側壁部と各底板部材の立壁部との摩擦抵抗で、底抜けに対する十分な強度が得られるようにした。
【０００８】
前記各底板部材の一対の立壁部の先端に、それぞれが重ね合わされる前記胴枠部材の側壁部の上端から外側に折り返される折り返し部を設けることにより、各折り返し部の側壁部上端への引っ掛かり効果で、底抜けに対する強度をさらに高めることができる。
【０００９】
前記各底板部材の一対の立壁部の先端に、それぞれが重ね合わされる前記胴枠部材の側壁部の上端で内折りされる天面フラップを設けることにより、紙箱をそのまま荷造り用に用いることができる。
【００１０】
前記胴枠部材の対向する一対の側壁部に、上下に延びる折り目線を、前記胴枠部材の枠中心に関して点対称に設けることにより、胴枠部材をコンパクトに折り畳んで、製品出荷や販売店での展示に供することができる。
【００１１】
前記紙箱の対向する一対の側壁間に差し渡される板紙製の仕切り板部材を設け、この仕切り板部材を、上端で２つ折りにして重ね合わされる各仕切り板部の両側端に、前記一対の対向する側壁の内面に沿わされる折り曲げ片を形成したものとし、これらの各折り曲げ片の先端を、それぞれが沿わされる側壁の終端コーナ部に突き当てることにより、接着部を設けることなく、紙箱に仕切り板を形成することができる。この仕切り板は、各折り曲げ片の側壁終端コーナ部への突き当てにより、高い剛性を有するので、天面を横向きとした収納ケース等とする場合に、棚板の役目をさせることもできる。
【００１２】
前記少なくとも１つの側壁部と、その内面に重ね合わされる前記立壁部とに貫通孔を設け、この貫通孔に通されて、前記重ね合わされた側壁部と立壁部とを内外から挟持する把手部材を取り付けることにより、この把手部材を紙箱持ち上げ用の把手や、収納ケースの引出し用把手とすることができる。また、この把手部材の取り付けは、重ね合わされた側壁部と立壁部間の摩擦抵抗を高め、底抜けに対する強度を増大させる効果もある。
【００１３】
【発明の実施の形態】
以下、図１乃至図１１に基づき、この発明の実施形態を説明する。図１乃至図７は、第１の実施形態を示す。この紙箱は段ボール紙製の収納ケースであり、図１に示すように、胴枠部材１と２つの底板部材２、３と仕切り板部材４とから成り、１つの側壁に引き出し用の把手部材５ａ、５ｂが取り付けられるようになっている。なお、胴枠部材１の表面は淡青色、底板部材２、３と仕切り板部材４の表面は濃紺色とされており、ツートーンカラーの収納ケースとして組み立てられる。
【００１４】
図２（ａ）に示すように、胴枠部材１は帯状のブランクとされ、４本の折り目線６で折り曲げられて継ぎ代７が接着され、長短一対ずつの側壁部１ａ、１ｂで矩形枠に形成されるようになっている。長辺側の一方の側壁部１ａには、把手部材５ａ、５ｂ取り付け用の丸孔８が設けられている。
【００１５】
また、短辺側の各側壁部１ｂには、中央で上下に延びる折り目線９が設けられており、矩形枠に形成された胴枠部材１は、図２（ｂ）に示すように、各折り目線９でコンパクトに折り畳むことができる。なお、各折り目線９は、胴枠部材１の枠中心に関して点対称であれば、各側壁部１ｂの中央からずらしてもよい。
【００１６】
図３（ａ）、（ｂ）に示すように、各底板部材２、３も帯状のブランクとされ、それぞれ底板部２ａ、３ａの両側に一対の立壁部２ｂ、３ｂが設けられ、各立壁部２ｂ、３ｂの先端に折り返し部２ｃ、３ｃが設けられている。各立壁部２ｂ、３ｂはそれぞれ折り目線１０、１１で立てられ、各折り返し部２ｃ、３ｃは折り目線１２、１３で折り返される。各折り返し部２ｃ、３ｃの裏面側には、カバーテープで覆われた粘着テープ１４、１５が貼付され、立壁部３ｂの一方には、把手部材５ａ、５ｂ取り付け用の丸孔１６が設けられている。
【００１７】
図１に示したように、先に底板部材２の底板部２ａが胴枠部材１の底面開口に嵌め込まれ、その一対の立壁部２ｂが短辺側の各側壁部１ｂの内面に重ね合わされて、各折り返し部２ｃが側壁部１ｂの上端から外側に折り返されたのち、底板部材３の底板部３ａが底板部２ａの上に重ねて嵌め込まれ、その一対の立壁部３ｂが長辺側の各側壁部１ａの内面に重ね合わされて、各折り返し部３ｃが側壁部１ａの上端から外側に折り返される。各折り返し部２ｃ、３ｃは、それぞれ粘着テープ１４、１５で各側壁部１ｂ、１ａの外面に接着されるようになっている。また、立壁部３ｂの丸孔１６は、側壁部１ａの丸孔８と重なるようになっている。
【００１８】
図４に示すように、仕切り板部材４は、一対の仕切り板部４ａが中央の折り目線１７の両側に対称に設けられ、各仕切り板部４ａの両側端に、折り曲げ片４ｂが折り目線１８を介して設けられている。片側の２つの折り曲げ片４ｂには、後述する把手部材５ｂのフランジ２４が嵌まり込む一対の半丸孔１９が設けられている。
【００１９】
図１に示したように、一対の仕切り板部４ａは折り目線１７で２つ折りに重ねられ、各折り曲げ片４ｂが、立壁部３ｂの内面に沿わされるように折り目線１８で左右に広げて折り曲げられる。左右に広げて折り曲げられた折り曲げ片４ｂの辺長は、胴枠部材１の長辺側の側壁部１ａの辺長と等しく形成されており、各折り曲げ片４ｂの先端が側壁部１ａの終端コーナ部に突き当てられて、２つ折りに重ねられた仕切り板部４ａが、接着部を設けることなく、強固に固定されるようになっている。
【００２０】
図５（ａ）、（ｂ）に示すように、把手部材５ａは、天井に孔２０が開けられたキャップ状とされ、キャップ口の内周面にねじ２１が切られている。一方、把手部材５ｂは、前記各丸孔８、１６に嵌まり込む円筒部２２の外周面にねじ２３が切られ、その基端側に各丸孔８、１６よりも大径の角形フランジ２４が設けられている。また、円筒部２２の底には、胴枠部材１と同じ淡青色の円形ブランク２５が嵌め込まれるようになっている。
【００２１】
図１に示したように、互いに重ね合わされる側壁部１ａと立壁部３ｂの外面側に把手部材５ａを、内面側に把手部材５ｂを持って行き、把手部材５ｂの円筒部２２を、重ね合わされる各丸孔８、１６に内側から挿入して、外側から把手部材５ａのキャップ口のねじ２１を円筒部２２のねじ２３に螺合することにより、側壁部１ａと立壁部３ｂとが、把手部材５ｂのフランジ２４と把手部材５ａのキャップ口とで挟持される。このとき、把手部材５ｂのフランジ２４は、前述した折り曲げ片４ｂの一対の半丸孔１９が合体された丸孔に嵌まり込む。
【００２２】
図６（ａ）、（ｂ）は、上述した紙箱を収納ケースとして組み立てた状態を示す。（ａ）は縦断側面図、（ｂ）は縦断正面図である。収納ケースの底面は、２つの底板部材２、３の重ねられた底板部２ａ、３ａで内外面とも平滑に形成されている。また、各底板部材２、３は、それぞれの立壁部２ｂ、３ｂと胴枠部材１の各側壁部１ｂ、１ａ内面との摩擦抵抗、および折り返し部２ｃ、３ｃの各側壁部１ｂ、１ａ上端への引っ掛かり抵抗により、胴枠部材１に強固に抜け止めされているので、この収納ケースは、本等の重量物を収納しても、底抜けすることはない。
【００２３】
図７は、上記紙箱を天面開口が上向きの収納ケースとして、別途に用意されるケース枠Ａに出し入れする状態を示す。この収納ケースは、底面が内外面とも平滑であるので、把手部材５ａを持ってスムーズにケース枠Ａに出し入れでき、かつ、内部の収納物が底面に引っ掛かったりする心配もない。また、前述したように、胴枠部材１と、各底板部材２、３および仕切り板部材４とが別の色とされているので、ツートーンカラーのデザインを楽しむことができる。勿論、胴枠部材１や底板部材２、３等に絵柄等をデザインすることもできる。
【００２４】
なお、この紙箱は、天面開口が横向きの収納ケースとしても使用することができ、このときに仕切り板部４ａを水平方向に向ければ、仕切り板部４ａを棚板として使用することができる。
【００２５】
図８および図９は、第２の実施形態を示す。この紙箱も段ボール紙製の収納ケースであり、段ボール紙製の蓋２６を設けた点が第１の実施形態のものと異なる。箱本体は、把手がないことを除いて、第１の実施形態のものと同じである。
【００２６】
蓋２６は、仕切りがないことを除いて、箱本体と同じ組み立て構造であり、箱本体よりも僅かに大きい矩形枠の胴枠部材２７と２つの底板部材２８、２９とから成る。各底板部材２８、２９は、第１の実施形態のものと同様に、底板部２８ａ、２９ａの両側に一対の立壁部２８ｂ、２９ｂが設けられ、各立壁部２８ｂ、２９ｂの先端に折り返し部２８ｃ、２９ｃが設けられており、各立壁部２８ｂ、２９ｂが胴枠部材２７の４面の側壁部２７ａの内面に重ね合わされて、各折り返し部２８ｃ、２９ｃが各側壁部２７ａの上端から外側に折り返される。この紙箱は段積みの収納ケースとして使用することができ、対向する一対の側壁に、持ち上げ用の把手部材を取り付けてもよい。この把手部材も、第１の実施形態の把手部材５ａ、５ｂのように、立壁部２８ｂ、２９ｂのいずれか一方と側壁部２７ａとを内外から挟持するものとすることができる。
【００２７】
なお、この紙箱は、蓋２６を箱本体の底側に嵌め込み、陳列ケースとして用いることもできる。箱本体および蓋２６は厚紙製としてもよく、紙箱を小寸法のものとすれば、菓子類、食品類、装飾品類、玩具類等の陳列用小箱として用いることもできる。
【００２８】
図１０および図１１は、第３の実施形態を示す。この紙箱は、図１０（ａ）に示すように、段ボール紙製の荷造り用ケースであり、矩形枠の胴枠部材３０に嵌め込まれる２つの底板部材３１、３２が、各底板部３１ａ、３２ａの両側の立壁部３１ｂ、３２ｂの先端に、折り返し部の替わりに天面フラップ３１ｃ、３２ｃを設けられている点が第１の実施形態のものと異なる。把手と仕切りがないことを除いて、その他の部分は、第１の実施形態のものと同じである。
【００２９】
この荷造り用ケースでは、図１０（ｂ）、図１１に示すように、底板部３１ａが下側に嵌め込まれる底板部材３１の天面フラップ３１ｃが内フラップとされ、底板部材３２の天面フラップ３２ｃが外フラップとされて、天面フラップ３１ｃの折り畳みにより、底板部材３２の各立壁部３２ｂが内側へ倒れ込まないようになっている。したがって、全ての立壁部３１ｂ、３２ｂが胴枠部材３０の４面の側壁部３０ａの内面に重ね合わされ、これらの重ね合わせによる摩擦抵抗で、各底板部材３１、３２が胴枠部材３０に抜け止めされている。なお、各天面フラップ３１ｃ、３２ｃを折り畳んだのち、外フラップである天面フラップ３２ｃが荷造り用テープ等で固定される。
【００３０】
上述した各実施形態では、胴枠部材を長方形枠のものとしたが、正方形枠のものとしてもよい。また、第１の実施形態における把手部材は、内外の部材を螺合させて、重ね合わされた側壁部と立壁部を挟持するものとしたが、把手部材はこの実施形態のものに限定されることはなく、側壁部と立壁部を内外から挟持するものであればよい。
【００３１】
【発明の効果】
以上のように、この発明の紙箱は、いずれも単純形状の帯状の板紙ブランクを折り曲げて形成される胴枠部材と２つの底板部材との３ピースで構成し、各底板部材を底板部の両側に一対の立壁部を形成したものとして、各底板部材の底板部を上下に重ねて胴枠部材の底面開口へ嵌め込み、それぞれの一対の立壁部を、胴枠部材の直交する別々の対の側壁部内面に重ね合わせるようにしたので、底面に凹凸をなくして、互いに重ね合わされる胴枠部材の側壁部と各底板部材の立壁部との摩擦抵抗で底抜けに対する十分な強度を確保でき、かつ、組み立ても簡単に行うことができる。
【００３２】
また、前記各底板部材の一対の立壁部の先端に、それぞれが重ね合わされる胴枠部材の側壁部の上端から外側に折り返される折り返し部を設ければ、各折り返し部の側壁部上端への引っ掛かり効果で、底抜けに対する強度をさらに高めることができ、折り返し部の替わりに内折りされる天面フラップを設ければ、紙箱をそのまま荷造り用に用いることができる。
【００３３】
さらに、前記紙箱の対向する一対の側壁間に差し渡される板紙製の仕切り板部材を設け、この仕切り板部材を、上端で２つ折りにして重ね合わされる各仕切り板部の両側端に、一対の対向する側壁の内面に沿わされる折り曲げ片を形成したものとし、これらの各折り曲げ片の先端を、それぞれが沿わされる側壁の終端コーナ部に突き当てることにより、接着部を設けることなく、紙箱に剛性のある仕切り板を形成することができる。
【図面の簡単な説明】
【図１】第１の実施形態の紙箱を示す分解斜視図
【図２】ａは図１の胴枠部材の展開図、ｂはａの胴枠部材を折り畳んだ状態を示す斜視図
【図３】ａ、ｂは、それぞれ図１の底板部材の展開図
【図４】図１の仕切り板部材の展開図
【図５】ａ、ｂは、それぞれ図１の把手部材の外観斜視図
【図６】ａは図１の紙箱を組み立てた状態を示す縦断側面図、ｂはａの縦断正面図
【図７】図６の紙箱の外観斜視図
【図８】第２の実施形態の紙箱を示す分解斜視図
【図９】図８の紙箱の一部切欠き側面図
【図１０】ａは第３の実施形態の紙箱を示す外観斜視図、ｂはａの紙箱の天面フラップを畳んだ状態を示す外観斜視図
【図１１】図１０の紙箱の縦断側面図
【符号の説明】
１　胴枠部材
１ａ、１ｂ　側壁部
２、３　底板部材
２ａ、３ａ　底板部
２ｂ、３ｂ　立壁部
２ｃ、３ｃ　折り返し部
４　仕切り板部材
４ａ　仕切り板部
４ｂ　折り曲げ片
５ａ、５ｂ　把手部材
６　折り目線
７　継ぎ代
８　丸孔
９、１０、１１、１２、１３　折り目線
１４、１５　粘着テープ
１６　丸孔
１７、１８　折り目線
１９　半丸孔
２０　孔
２１　ねじ
２２　円筒部
２３　ねじ
２４　フランジ
２５　ブランク
２６　蓋
２７　胴枠部材
２７ａ　側壁部
２８、２９　底板部材
２８ａ、２９ａ　底板部
２８ｂ、２９ｂ　立壁部
２８ｃ、２９ｃ　折り返し部
３０　胴枠部材
３０ａ　側壁部
３１、３２　底板部材
３１ａ、３２ａ　底板部
３１ｂ、３２ｂ　立壁部
３１ｃ、３２ｃ　天面フラップ
【図１】
2004075089.tif 000003
【図２】
2004075089.tif 000004
【図３】
2004075089.tif 000005
【図４】
2004075089.tif 000006
【図５】
2004075089.tif 000007
【図６】
2004075089.tif 000008
【図７】
2004075089.tif 000009
【図８】
2004075089.tif 000010
【図９】
2004075089.tif 000011
【図１０】
2004075089.tif 000012
【図１１】
2004075089.tif 000013